(57)【要約】光ディスク（１０）のマーク部からの戻り光をフォトディテクタ（２０）で検出することにより生成された例えばＡ信号を、マーク用Ｓ／Ｈ回路（６６）でサンプリングし、スペース部からの戻り光を検出することにより生成されたＡ信号を、スペース用Ｓ／Ｈ回路（６８）でサンプリングし、これらサンプリングされたＡ信号のマーク／スペースの各信号の振幅を、アンプ（７０）、アンプ（７２）で揃える。この振幅が揃えられたマーク／スペースの各信号を、切替スイッチ（７４）によって交互に選択して合成する。この合成までの一連の処理が個々に施されたＡ、Ｂ、Ｃ、Ｄ信号Ａ１〜Ｄ１を、ウォブル系処理回路（８０）において、所定の組み合わせで加算し、これら加算信号の振幅を揃えたのち差分を取ることによって、ウォブル信号（１０７）を再生する。
2004100138.tif 000002
【特許請求の範囲】
【請求項１】
ディスクの内周から外周に螺旋状に所定周期で蛇行して形成された情報記録用のトラックを有する光ディスクから、前記トラックの蛇行情報であるウォブル信号を再生する光ディスク装置であって、
記録データに応じたレーザ照射によって前記トラックにマーク部を形成するマーク部形成手段と、
前記マーク部と各マーク部間のスペース部とからの戻り光を検出し複数系統の信号を出力する分割型光センサと、
前記分割型光センサより出力された信号をマーク区間中にサンプリングして出力する第１のサンプリング手段と、
前記分割型光センサより出力された信号をスペース区間中にサンプリングして出力する第２のサンプリング手段と、
前記第１及び第２のサンプリング手段でサンプリングされて出力された各信号を交互に選択して出力する選択手段と
を備えたことを特徴とする光ディスク装置。
【請求項２】
ディスクの内周から外周に螺旋状に所定周期で蛇行して形成された情報記録用のトラックと、このトラック間に形成されたアドレス情報再生用のランドプリピットとを有する光ディスクから、ランドプリピット信号を再生する光ディスク装置であって、
記録データに応じたレーザ照射によって前記トラックにマーク部を形成するマーク部形成手段と、
前記マーク部と各マーク部間のスペース部とからの戻り光を検出し複数系統の信号を出力する分割型光センサと、
前記分割型光センサより出力された信号をマーク区間中にサンプリングして出力する第１のサンプリング手段と、
前記分割型光センサより出力された信号をスペース区間中にサンプリングして出力する第２のサンプリング手段と、
前記第１及び第２のサンプリング手段でサンプリングされて出力された各信号を交互に選択して出力する選択手段と
を備えたことを特徴とする光ディスク装置。
【請求項３】
前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ウォブル信号を再生する再生手段
を備えたことを特徴とする請求の範囲第１項に記載の光ディスク装置。
【請求項４】
前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ランドプリピット信号を再生する再生手段
を備えたことを特徴とする請求の範囲第２項に記載の光ディスク装置。
【請求項５】
前記第１のサンプリング手段でサンプリングされて出力された各信号の振幅を揃える第１の振幅調整手段
を備えたことを特徴とする請求の範囲第１項または第２項に記載の光ディスク装置。
【請求項６】
前記第１の振幅調整手段は、前記マーク部からの戻り光の光量と前記スペース部からの戻り光の光量との差に応じてゲインを制御する
ことを特徴とする請求の範囲第５項に記載の光ディスク装置。
【請求項７】
前記第２のサンプリング手段でサンプリングされて出力された各信号の振幅を揃える第２の振幅調整手段
を備えたことを特徴とする請求の範囲第１項または第２項に記載の光ディスク装置。
【請求項８】
前記第２の振幅調整手段は、前記マーク部からの戻り光の光量と前記スペース部からの戻り光の光量との差に応じてゲインを制御する
ことを特徴とする請求の範囲第７項に記載の光ディスク装置。
【請求項９】
前記第１のサンプリング手段が前記分割型光センサより出力された信号をマーク区間中にサンプリングするタイミングを制御する制御信号と、前記第２のサンプリング手段が前記分割型光センサより出力された信号をスペース区間中にサンプリングするタイミングを制御する制御信号と、前記選択手段が前記第１及び第２のサンプリング手段から出力された各信号を交互に選択するタイミングを制御する制御信号とを、前記記録データに応じて発生するタイミング発生手段
を備えたことを特徴とする請求の範囲第１項または第２項に記載の光ディスク装置。
【請求項１０】
前記第１のサンプリング手段で前記マーク部の信号のサンプリングを行う際に、そのサンプリング区間を前記マーク部の信号区間よりも短く且つその信号区間に収まるように設定し、
前記第２のサンプリング手段で前記スペース部の信号のサンプリングを行う際に、そのサンプリング区間を前記スペース部の信号区間よりも短く且つその信号区間に収まるように設定した
を備えたことを特徴とする請求の範囲第１項または第２項に記載の光ディスク装置。
【請求項１１】
前記第１及び第２のサンプリング手段は、前記分割型光センサより出力された信号をサンプリングするスイッチと、前記スイッチの出力端に接続され、サンプリングした信号を保持するキャパシタとを有する
ことを特徴とする請求の範囲第１項または第２項に記載の光ディスク装置。
【請求項１２】
前記第１のサンプリング手段は、マーク区間において前記スイッチがオンして前記分割型光センサより出力された信号の電荷を前記キャパシタにチャージすることにより前記信号をサンプリングし、スペース区間において前記スイッチがオフして前記電荷を出力することにより前記信号をホールドし、
前記第２のサンプリング手段は、スペース区間において前記スイッチがオンして前記分割型光センサより出力された信号の電荷を前記キャパシタにチャージすることにより前記信号をサンプリングし、マーク区間において前記スイッチがオフして前記電荷を出力することにより前記信号をホールドする
ことを特徴とする請求の範囲第１項または第２項に記載の光ディスク装置。
【請求項１３】
前記第１及び第２のサンプリング手段は、ローパスフィルタ特性を有することを特徴とする請求の範囲第１項または第２項に記載の光ディスク装置。
【請求項１４】
前記選択手段は、前記第１及び第２のサンプリング手段でサンプリングされて出力された各信号を交互に選択するスイッチと、その選択された信号を保持するキャパシタとを有する
ことを特徴とする請求の範囲第１項または第２項に記載の光ディスク装置。
【請求項１５】
ディスクの内周から外周に螺旋状に所定周期で蛇行して形成された情報記録用のトラックを有する光ディスクに対して、記録データに応じたレーザ照射によって前記トラックにマーク部を形成し、分割型光センサによってそのマーク部と各マーク部間のスペース部とからの戻り光を検出し複数系統の信号を出力し、前記トラックの蛇行情報であるウォブル信号を再生する光ディスク装置用の回路であって、
前記分割型光センサより出力された信号をマーク区間中にサンプリングして出力する第１のサンプリング手段と、
前記分割型光センサより出力された信号をスペース区間中にサンプリングして出力する第２のサンプリング手段と、
前記第１及び第２のサンプリング手段でサンプリングされて出力された各信号を交互に選択して出力する選択手段と
を備えたことを特徴とする光ディスク装置用の回路。
【請求項１６】
ディスクの内周から外周に螺旋状に所定周期で蛇行して形成された情報記録用のトラックと、このトラック間に形成されたアドレス情報再生用のランドプリピットとを有する光ディスクに対して、記録データに応じたレーザ照射によって前記トラックにマーク部を形成し、分割型光センサによってそのマーク部と各マーク部間のスペース部とからの戻り光を検出し複数系統の信号を出力し、ランドプリピット信号を再生する光ディスク装置用の回路であって、
前記分割型光センサより出力された信号をマーク区間中にサンプリングして出力する第１のサンプリング手段と、
前記分割型光センサより出力された信号をスペース区間中にサンプリングして出力する第２のサンプリング手段と、
前記第１及び第２のサンプリング手段でサンプリングされて出力された各信号を交互に選択して出力する選択手段と
を備えたことを特徴とする光ディスク装置用の回路。
【請求項１７】
前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ウォブル信号を再生する再生手段
を備えたことを特徴とする請求の範囲第１５項に記載の光ディスク装置用の回路。
【請求項１８】
前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ランドプリピット信号を再生する再生手段
を備えたことを特徴とする請求の範囲第１６項に記載の光ディスク装置用の回路。
【請求項１９】
前記第１のサンプリング手段でサンプリングされて出力された各信号の振幅を揃える第１の振幅調整手段
を備えたことを特徴とする請求の範囲第１５項または第１６項に記載の光ディスク装置用の回路。
【請求項２０】
前記第２のサンプリング手段でサンプリングされて出力された各信号の振幅を揃える第２の振幅調整手段
を備えたことを特徴とする請求の範囲第１５項または第１６項に記載の光ディスク装置用の回路。
【請求項２１】
ディスクの内周から外周に螺旋状に所定周期で蛇行して形成された情報記録用のトラックを有する光ディスクから、前記トラックの蛇行情報であるウォブル信号を再生するウォブル信号再生方法であって、
記録データに応じたレーザ照射によって前記トラックにマーク部を形成する第１のステップと、
前記第１のステップおいて形成されたマーク部と各マーク部間のスペース部とからの戻り光を分割型光センサにより検出し複数系統の信号を出力する第２のステップと、
前記分割型光センサより出力された信号をマーク区間中にサンプリングして出力する第３のステップと、
前記分割型光センサより出力された信号をスペース区間中にサンプリングして出力する第４のステップと、
前記第１及び第２のステップでサンプリングされて出力された各信号を交互に選択して
出力する第５のステップと
を含むことを特徴とするウォブル信号再生方法。
【請求項２２】
前記第３、第４及び第５のステップにおける一連の処理が施された前記複数系統の信号を、所定の組合せで加算し、これら加算信号の振幅を揃えたのち差分を取ることによって、前記ウォブル信号を再生する第６のステップ
を更に含むことを特徴とする請求の範囲第２１項に記載のウォブル信号再生方法。
【請求項２３】
前記マーク区間中及びスペース区間中にサンプリングして出力された各信号の振幅を揃える第７のステップ
を更に含むことを特徴とする請求の範囲第２１項に記載のウォブル信号再生方法。
【請求項２４】
ディスクの内周から外周に螺旋状に所定周期で蛇行して形成された情報記録用のトラックと、このトラック間に形成されたアドレス情報再生用のランドプリピットとを有する光ディスクから、ランドプリピット信号を再生するランドプリピット信号再生方法であって、
記録データに応じたレーザ照射によって前記トラックにマーク部を形成する第１のステップと、
前記第１のステップおいて形成されたマーク部と各マーク部間のスペース部とからの戻り光を分割型光センサにより検出し複数系統の信号を出力する第２のステップと、
前記分割型光センサより出力された信号をマーク区間中にサンプリングして出力する第３のステップと、
前記分割型光センサより出力された信号をスペース区間中にサンプリングして出力する第４のステップと、
前記第３及び第４のステップでサンプリングされて出力された各信号を交互に選択して出力する第５のステップと
を含むことを特徴とするランドプリピット信号再生方法。
【請求項２５】
前記第３、前記第４及び前記第５のステップにおける一連の処理が施された前記複数系統の信号を、所定の組合せで加算し、これら加算信号の振幅を揃えたのち差分を取ることによって、前記ランドプリピット信号を再生する第６のステップ
を更に含むことを特徴とする請求の範囲第２４項に記載のランドプリピット信号再生方法。
【請求項２６】
前記マーク区間中及びスペース区間中にサンプリングして出力された各信号の振幅を揃える第７のステップ
を更に含むことを特徴とする請求の範囲第２４項に記載のランドプリピット信号再生方法。
【発明の詳細な説明】
【技術分野】
【０００１】  本発明は、文書、画像、音楽などのデータを光ディスクに記録して再生する光ディスク装置に関し、特に、記録／再生可能な光ディスクに記録されているウォブル信号及びＬＰＰ（ランドプリピット）信号の検出・再生を行うに好適な光ディスク装置、光ディスク装置用の回路、ウォブル信号再生方法及びランドプリピット信号再生方法に関する。
【背景技術】
【０００２】  現在、密度の高い記録を行う光ディスクとして、ＣＤ−Ｒ／ＲＷ、ＤＶＤ−Ｒ／ＲＷ、ＤＶＤ＋Ｒ／ＲＷ等がある。これらの記録可能な光ディスクへの情報記録時において、従来の再生専用ディスクで行われている再生信号からは、ライト用の基準クロック信号を生成することができない。
このため、記録可能な光ディスクは、図８に示すように構成されている。図８はＤＶＤ−Ｒ／ＲＷのディスク面の一部を示す。この光ディスク（以下、ＤＶＤ−Ｒ／ＲＷとも表現する）１０上には、情報を記録する部分である溝（グルーブ）１２が、スパイラル状に、特定振幅、特定周期で蛇行（ウォブリング）して形成されている。これをウォブルと呼ぶ。【０００３】  また、グルーブ１２には、種々の情報である多数のピットデータ１４が書き込まれるようになっており、グルーブ１２とグルーブ１２との間のランド１６には、図９にも示すように、ランドプリピット（以下、ＬＰＰという）１８と呼ばれる切り欠きが設けられている。
その蛇行したグルーブ１２にレーザスポットを照射した際の反射光を、図１０に示すような４分割されたフォトディテクタ（分割型光センサ）２０にてプッシュプル方式で検出する。これによって光量差が検出される。この検出された信号をウォブル信号といい、このウォブル信号から、ライト用の基準クロック信号が生成可能なようになっている。【０００４】  光ディスク１０のウォブル信号は、アドレス情報は重畳されておらず、ＬＰＰ１８から得られるＬＰＰ信号がアドレス情報として用いられる。ＬＰＰ１８が形成される部分において片側のランドは、不連続になっている。このため、その不連続部分を通過する際にフォトディテクタ２０に入る光量が急峻に変化し、プッシュプルの結果、パルス状の信号がＬＰＰ信号としてウォブル信号に重畳されるようになっている。【０００５】  このようなウォブル信号及びＬＰＰ信号は、光ディスク１０の回転数の制御、位置情報などに用いられ、光ディスク１０の記録／再生を目的とした装置では、この信号を高い精度で検出しなければならない。
一般的には、フォトディテクタ２０により光ディスク１０から読み取った信号Ａ、Ｂ、Ｃ、Ｄには、下式のような関係がある。この関係を利用した演算によって、ウォブル信号及びＬＰＰ信号を抽出している。また、記録後の光ディスク１０では、各Ａ，Ｂ，Ｃ，Ｄ信号に、図８に示すピットデータ１４であるマーク部１２ａとスペース部１２ｂとの反射率の違いからＲＦ信号（波形信号）成分が含まれる。【０００６】  Ａ＝ＲＦ信号＋第１のウォブル信号＋ＬＰＰ信号
Ｂ＝ＲＦ信号＋第２のウォブル信号（第１のウォブル信号と位相が逆）
Ｃ＝ＲＦ信号＋第２のウォブル信号（第１のウォブル信号と位相が逆）
Ｄ＝ＲＦ信号＋第１のウォブル信号＋ＬＰＰ信号
また、ＲＦ信号は、Ａ、Ｂ、Ｃ、Ｄ信号において、全て同相で基本的には同じ振幅の信号である。ウォブル信号は、Ａ、Ｄ信号と、Ｂ、Ｃ信号とで逆位相である。ＬＰＰ信号は、Ａ、Ｄ信号（又は、Ｂ、Ｃ信号）にのみ発生する。【０００７】  このような関係から原理的には、（Ａ＋Ｄ）−（Ｂ−Ｃ）の演算を行なうことで同相成分のＲＦ信号がキャンセルされて無くなり、ウォブル信号及びＬＰＰ信号のみとなる。これを式で表すと、次のようになる。
（Ａ−Ｄ）−（Ｂ＋Ｃ）
＝（ＲＦ信号−第１のウォブル信号＋ＬＰＰ信号−ＲＦ信号＋第１のウォブル信号＋ＬＰＰ信号）−（ＲＦ信号＋第２のウォブル信号＋ＲＦ信号＋第２のウォブル信号）
＝２×（ＲＦ信号＋ＬＰＰ信号＋第１のウォブル信号）−２×（ＲＦ信号＋第２のウォブル信号）
＝２×ＬＰＰ信号＋４×第１のウォブル信号（これは、逆位相なので第１のウォブル信号＝−第２のウォブル信号の関係から求めた）
しかし、実際には、フォトディテクタ２０の感度のバラツキ、アンプのゲインのバラツキ等により、Ａ＋Ｄ信号とＢ−Ｃ信号のＲＦ信号の振幅成分は完全に等しくならない。このためＡ−Ｄ信号とＢ＋Ｃ信号とを各々、ゲイン調整を行うことによってＲＦ信号の振幅成分を等しくしてから演算を行う。そのゲイン調整には、ＡＧＣ（ＡｕｔｏｍａｔｉｃＧａｉｎＣｏｎｔｒｏｌ）アンプを用いることが多く、図１１に示すウォブル系処理回路３０のような構成を取っている。【０００８】  このウォブル系処理回路３０は、加算器３１によってＡ信号とＤ信号を加算し、また、加算器３２によってＢ信号とＣ信号を加算する。更に、ＡＧＣアンプ３４によって加算器３１から出力されるＡ＋Ｄ信号のゲイン調整を行い、ＡＧＣアンプ３５によって加算器３２から出力されるＢ＋Ｃ信号のゲイン調整を行う。つまり、Ａ＋Ｄ信号とＢ＋Ｃ信号との双方のＲＦ信号の振幅成分が等しくなるようにゲイン調整を行う。そして、減算器３７によって、Ａ＋Ｄ信号からＢ＋Ｃ信号を減算することで、（Ａ＋Ｄ）−（Ｂ−Ｃ）信号、即ちウォブル信号及びＬＰＰ信号を出力するように構成されている。【０００９】  しかし、光ディスク１０に記録動作を行う場合、記録データに応じてマーク部１２ａとスペース部１２ｂとの光量を変えて記録を行なっている。このため、単純に光ディスク１０からの戻り光を検出するだけでは、ウォブル信号及びＬＰＰ信号を再生することができない。
そこで、図１２に示すような、上記のウォブル系処理回路３０の入力側に、Ｓ／Ｈ（サンプリング／ホールド）回路４１〜４４を接続して構成したＳ／Ｈ付ウォブル系処理回路４０を用いる。【００１０】  このＳ／Ｈ付ウォブル系処理回路４０のＳ／Ｈ動作を、図１３に示すタイミングチャートを参照して説明する。但し、光ディスク１０がＣＤ系の光ディスクであるとする。
まず、記録時において、（１）に示す記録データが「Ｈ」レベルの区間、即ちマーク部１２ａを形成するための指示を行う「Ｈ」の区間（マーク区間）では、この「Ｈ」に応じて光ディスク１０に照射されるレーザ光のパワーが強くなってライトパワーとなる。つまり、（２）に示す書込光の波形が「Ｈ」となって光ディスク１０にマーク部１２ａが形成される。この際、（３）に示すように、Ａ、Ｂ、Ｃ、Ｄ信号を読み取るための戻り光の波形が急峻に立ち上がる「Ｈ」となる。【００１１】  一方、（１）に示す記録データが「Ｌ」レベルの区間、即ちスペース部１２ｂを形成するための指示を行う「Ｌ」の区間（スペース区間）では、この「Ｌ」に応じてレーザ光のパワーが弱くなってリードパワーとなる。つまり、（２）に示す書込光の波形が「Ｌ」となる。この際、（３）に示すように、戻り光の波形は「Ｌ」となる。
（３）に示すような波形の戻り光をフォトディテクタ２０で検出することによって、Ａ、Ｂ、Ｃ、Ｄ信号を生成し、これらを各Ｓ／Ｈ回路４１〜４４に入力する。そして、Ｓ／Ｈ切替制御信号４６のレベルを（４）に示すように切り替える。即ち、Ｓ／Ｈ切替制御信号４６を、戻り光の波形が「Ｌ」の区間で「Ｈ」としてサンプリングし、戻り光の波形が「Ｈ」の区間で「Ｌ」としてホールドする。これによって、各Ｓ／Ｈ回路４１〜４４の出力レベルが（５）に示すように、「Ｌ」となる。これを、各加算器３１，３２へ入力することで、減算器３７から（Ａ＋Ｄ）−（Ｂ−Ｃ）信号によるウォブル信号を得ている。【００１２】  このように、従来のＣＤ系の光ディスクでは、スペース区間をサンプリングすることでウォブル信号を得ている。このような処理がＳ／Ｈ付ウォブル系処理回路４０で可能なのは、記録データの周波数が２００ＫＨｚ〜７２０ＫＨｚに比べ、ウォブル信号の周波数が２２．０５ＫＨｚと低いため、Ｓ／Ｈ処理してもウォブル信号の再生には影響が少ないからである。【００１３】  この種の従来の光ディスク装置として、例えば後述の特許文献１に記載のものがある。この特許文献１の内容は、ＣＤ−Ｒ／ＲＷのウォブル信号の再生を行う場合に、記録中のスペース時のみサンプリングをおこない、その後、所定の信号処理を行ってウォブル信号を得るものである。
この他、ＬＰＰ信号を得る光ディスク装置として、例えば後述の特許文献２に記載のものがある。この特許文献２の内容は、主にＤＶＤ−Ｒ／ＲＷを用途として、マーク／スペース区間で別々に信号処理を行ってＬＰＰ信号を得るものである。即ち、マーク部／スペース部を別々に信号処理し、マーク部の２値化レベルをＬＰＦ（Ｌｏｗ  Ｐａｓｓ  Ｆｉｌｔｅｒ）で抽出した後、直流電圧加算する。また、スペース部の２値化レベルをスペース部のみサンプリングしてＬＰＦで抽出した後、直流電圧加算する。各々の直流電圧加算後の信号を比較器で２値化し、各々の区間に合わせてディジタル的に論理積処理を行うことによって、各々の区間のＬＰＰ信号を検出する。最後に、それらのＬＰＰ信号を論理和処理することによってマーク／スペース双方の区間にあるＬＰＰ信号を再生している。【００１４】
【特許文献１】：特開２００２−２１６３５５号公報（第５−７頁、第１図）
【特許文献２】：特開平１０−２８３６３８号公報（第５−７頁、第１図）しかし、従来の光ディスク装置においては、次のような問題がある。特許文献１の技術内容では、記録中のスペース区間のみサンプリングを行なうため、ＤＶＤ−Ｒ／ＲＷ等のように、記録再生動作の基準になるＬＰＰ信号が挿入されている場合は、その信号のうちスペース区間に記録されているＬＰＰ信号は再生することができるが、マーク区間のＬＰＰ信号は再生することができないという問題がある。
【００１５】  また、ＤＶＤ＋Ｒ／ＲＷではランドプリピットがなく、ウォブル信号中にアドレス情報が入っているため、高品質でウォブル信号を再生する必要があるが、ＤＶＤ＋Ｒ／ＲＷのように、ウォブル信号と記録データの周波数が近い場合も、スペース区間のサンプリングのみであると、ウォブル信号の検出が困難となるので、高品質のウォブル信号を再生することができないという問題がある。【００１６】  特許文献２の技術内容では、ＬＰＰ信号のみしか再生することができず、ウォブル信号は再生することができないという問題がある。
つまり、ウォブル信号を再生するためには別の手段を用いなければならない。そこで、上記の問題を考慮すると、マーク／スペース区間の両方からウォブル信号及びＬＰＰ信号を再生すればよいことがわかる。光ディスクへの記録時は、マーク／スペース区間でレーザ強度が異なり、戻り光の強度も当然異なるので、原理的には、その戻り光に同期して、高速にゲインの切り替えを行えばよい。この切り替えを行うために、例えば、図１４に示すようなゲイン切替付ウォブル系処理回路５０が知られている。【００１７】  このゲイン切替付ウォブル系処理回路５０のゲイン切り替え動作を、図１５に示すタイミングチャートを参照して説明する。但し、光ディスクがＣＤ系の光ディスクであるとする。
記録時においては、（１）に示す記録データの「Ｈ」及び「Ｌ」に応じて（２）に示す書込光の波形が「Ｈ」及び「Ｌ」となり、これによって、（３）に示す戻り光の波形が急峻に立ち上がる「Ｈ」及び「Ｌ」となる。【００１８】  このような波形の戻り光をフォトディテクタで検出することによって、Ａ、Ｂ、Ｃ、Ｄ信号を生成し、これらをゲイン切替回路５１〜５４に入力する。そして、ゲイン切替制御信号５６のレベルを（４）に示すように切り替える。即ち、ゲイン切替制御信号５６を、戻り光の波形が「Ｌ」の区間で「Ｈ」（ゲイン大）とし、戻り光の波形が「Ｈ」の区間で「Ｌ」（ゲイン小）として、ゲイン切り替えを行うようにする。これによって、（５）に示すように、各ゲイン切替回路５１〜５４の出力レベルがどの区間においても同じ状態となるので、これを、各加算器３１，３２へ入力することで、減算器３７から（Ａ＋Ｄ）−（Ｂ−Ｃ）信号によるウォブル信号及びＬＰＰ信号を得ている。【００１９】  しかし、高速でゲイン切り替えを行った場合、区間ＳＥ１に示すように、戻り光に対するゲイン切り替えのタイミングずれが無い場合は良いが、区間ＳＥ２に示すように、タイミングずれがある場合は、ゲインの切り替え部分にＰ１，Ｐ２で示すパルス状の不要な信号成分が含まれ、ウォブル信号及びＬＰＰ信号の品質が悪化するという問題がある。
この問題を解消するためには、高精度のタイミングで非常に高速に切り替えを行えばよいが、実際には、温度変動なども考慮すると、そのタイミング調整を実現することは困難であるという問題がある。【００２０】  また、一度のみ書けるメディア、−Ｒ、＋Ｒの場合、記録区間の始めには、大きな入力信号や電気的なオーバーシュートなどによるノイズが多く含まれているため、これらの影響により信号品質の悪化も懸念されるという問題がある。
本発明は、このような課題に鑑みてなされたものであり、ウォブル信号及びＬＰＰ信号を品質良く再生することができる光ディスク装置、光ディスク装置用の回路、ウォブル信号再生方法及びランドプリピット信号再生方法を提供することを目的としている。
【発明の開示】
【００２１】  本発明による請求の範囲第１項に記載の光ディスク装置は、ディスクの内周から外周に螺旋状に所定周期で蛇行して形成された情報記録用のトラックを有する光ディスクから、前記トラックの蛇行情報であるウォブル信号を再生する光ディスク装置であって、記録データに応じたレーザ照射によって前記トラックにマーク部を形成するマーク部形成手段と、前記マーク部と各マーク部間のスペース部とからの戻り光を検出し複数系統の信号を出力する分割型光センサと、前記分割型光センサより出力された信号をマーク区間中にサンプリングして出力する第１のサンプリング手段と、前記分割型光センサより出力された信号をスペース区間中にサンプリングして出力する第２のサンプリング手段と、前記第１及び第２のサンプリング手段でサンプリングされて出力された各信号を交互に選択して出力する選択手段とを備えたことを特徴とする。
【００２２】  これによって、ウォブル信号を有するＤＶＤ−Ｒ／ＲＷなどにおいて、光ディスクのマーク部とスペース部とからの戻り光を検出して得た信号を、マーク区間とスペース区間とでサンプリングし、これらの信号を交互に選択して出力する。この交互に出力される信号を合成すれば、適正にマーク／スペース部の信号を合成することができる。
また、本発明による請求の範囲第２項に記載の光ディスク装置は、ディスクの内周から外周に螺旋状に所定周期で蛇行して形成された情報記録用のトラックと、このトラック間に形成されたアドレス情報再生用のランドプリピットとを有する光ディスクから、ランドプリピット信号を再生する光ディスク装置であって、記録データに応じたレーザ照射によって前記トラックにマーク部を形成するマーク部形成手段と、前記マーク部と各マーク部間のスペース部とからの戻り光を検出し複数系統の信号を出力する分割型光センサと、前記分割型光センサより出力された信号をマーク区間中にサンプリングして出力する第１のサンプリング手段と、前記分割型光センサより出力された信号をスペース区間中にサンプリングして出力する第２のサンプリング手段と、前記第１及び第２のサンプリング手段でサンプリングされて出力された各信号を交互に選択して出力する選択手段とを備えたことを特徴とする。
【００２３】  これによって、ウォブル信号を有するＤＶＤ−Ｒ／ＲＷなどにおいて、光ディスクのマーク部とスペース部とからの戻り光を検出して得た信号を、マーク区間とスペース区間とでサンプリングし、これらの信号を交互に選択して出力する。この交互に出力される信号を合成すれば、適正にマーク／スペース部の信号を合成することができる。
また、本発明による請求の範囲第３項に記載の光ディスク装置は、請求の範囲第１項において、前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ウォブル信号を再生する再生手段を備えたことを特徴とする。
【００２４】  これによって、マーク／スペース部の信号が交互に選択され、この後に加算された各加算信号の振幅が揃えられ、この後に差分が取られてウォブル信号が再生されるので、適正にマーク／スペース部の信号を合成してウォブル信号を得ることが可能となる。
また、本発明による請求の範囲第４項に記載の光ディスク装置は、請求の範囲第３項において、前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ランドプリピット信号を再生する再生手段を備えたことを特徴とする。
【００２５】  これによって、マーク／スペース部の信号が交互に選択され、この後に加算された各加算信号の振幅が揃えられ、この後に差分が取られてウォブル信号が再生されるので、適正にマーク／スペース部の信号を合成してランドプリピット信号を得ることが可能となる。
また、本発明による請求の範囲第５項に記載の光ディスク装置は、請求の範囲第１項または第２項において、前記第１のサンプリング手段でサンプリングされて出力された各信号の振幅を揃える第１の振幅調整手段を備えたことを特徴とする。
【００２６】  これによって、サンプリングされた各信号の振幅が揃えられたのち交互に選択されるので、基本的に同じ電位の信号が交互に選択されることになり、この選択のための切り替えタイミングを高精度に設定したり、切り替えのスピードを高速に設定したりする必要が無くなる。これによって、容易かつ適正にマーク／スペース部の信号を合成することが可能となる。
【００２７】  また、本発明による請求の範囲第６項に記載の光ディスク装置は、請求の範囲第５項において、前記第１の振幅調整手段は、前記マーク部からの戻り光の光量と前記スペース部からの戻り光の光量との差に応じてゲインを制御することを特徴とする。
これによって、サンプリングされた各信号の振幅を高精度に揃えることができる。
また、本発明による請求の範囲第７項に記載の光ディスク装置は、請求の範囲第１項または第２項において、前記第２のサンプリング手段でサンプリングされて出力された各信号の振幅を揃える第２の振幅調整手段を備えたことを特徴とする。
【００２８】  これによって、サンプリングされた各信号の振幅が揃えられたのち交互に選択されるので、基本的に同じ電位の信号が交互に選択されることになり、この選択のための切り替えタイミングを高精度に設定したり、切り替えのスピードを高速に設定したりする必要が無くなる。これによって、容易かつ適正にマーク／スペース部の信号を合成することが可能となる。
【００２９】  また、本発明による請求の範囲第８項に記載の光ディスク装置は、請求の範囲第７項において、前記第２の振幅調整手段は、前記マーク部からの戻り光の光量と前記スペース部からの戻り光の光量との差に応じてゲインを制御することを特徴とする。
これによって、サンプリングされた各信号の振幅を高精度に揃えることができる。
また、本発明による請求の範囲第９項に記載の光ディスク装置は、請求の範囲第１項または第２項において、前記第１のサンプリング手段が前記分割型光センサより出力された信号をマーク区間中にサンプリングするタイミングを制御する制御信号と、前記第２のサンプリング手段が前記分割型光センサより出力された信号をスペース区間中にサンプリングするタイミングを制御する制御信号と、前記選択手段が前記第１及び第２のサンプリング手段から出力された各信号を交互に選択するタイミングを制御する制御信号とを、前記記録データに応じて発生するタイミング発生手段を備えたことを特徴とする。
【００３０】  これによって、光ディスクのマーク部とスペース部とからの戻り光を検出して得た信号を、マーク区間とスペース区間とでサンプリングし、これらの信号を交互に選択して出力する動作を、適正に制御することができる。
また、本発明による請求の範囲第１０項に記載の光ディスク装置は、請求の範囲第１項または第２項において、前記第１のサンプリング手段で前記マーク部の信号のサンプリングを行う際に、そのサンプリング区間を前記マーク部の信号区間よりも短く且つその信号区間に収まるように設定し、前記第２のサンプリング手段で前記スペース部の信号のサンプリングを行う際に、そのサンプリング区間を前記スペース部の信号区間よりも短く且つその信号区間に収まるように設定したを備えたことを特徴とする。
【００３１】  これによって、マーク区間とスペース区間において、光ディスクのマーク部とスペース部とからの戻り光を検出して得た信号をサンプリングする際に、確実にサンプリングすることができる。
また、本発明による請求の範囲第１１項に記載の光ディスク装置は、請求の範囲第１項または第２項において、前記第１及び第２のサンプリング手段は、前記分割型光センサより出力された信号をサンプリングするスイッチと、前記スイッチの出力端に接続され、サンプリングした信号を保持するキャパシタとを有することを特徴とする。
【００３２】  これによって、スイッチとキャパシタとを有する簡単な構成でサンプリング手段を実現することができる。
また、本発明による請求の範囲第１２項に記載の光ディスク装置は、請求の範囲第１項または第２項において、前記第１のサンプリング手段は、マーク区間において前記スイッチがオンして前記分割型光センサより出力された信号の電荷を前記キャパシタにチャージすることにより前記信号をサンプリングし、スペース区間において前記スイッチがオフして前記電荷を出力することにより前記信号をホールドし、前記第２のサンプリング手段は、スペース区間において前記スイッチがオンして前記分割型光センサより出力された信号の電荷を前記キャパシタにチャージすることにより前記信号をサンプリングし、マーク区間において前記スイッチがオフして前記電荷を出力することにより前記信号をホールドすることを特徴とする。
【００３３】  これによって、分割型光センサより出力された信号をサンプリングすると共にホールドするサンプリング手段を、スイッチとキャパシタとを有する簡単な構成で実現することができる。
また、本発明による請求の範囲第１３項に記載の光ディスク装置は、請求の範囲第１項または第２項において、前記第１のサンプリング手段は、ローパスフィルタ特性を有することを特徴とする。
【００３４】  これによって、マーク部の立ち上がり部分などに生じ易い急峻なノイズ成分を除去することができる。
また、本発明による請求の範囲第１４項に記載の光ディスク装置は、請求の範囲第１項または第２項において、前記選択手段は、前記第１及び第２のサンプリング手段でサンプリングされて出力された各信号を交互に選択するスイッチと、その選択された信号を保持するキャパシタとを有することを特徴とする。
【００３５】  これによって、スイッチとキャパシタとを有する簡単な構成で選択手段を実現することができる。
また、本発明による請求の範囲第１５項に記載の光ディスク装置用の回路は、ディスクの内周から外周に螺旋状に所定周期で蛇行して形成された情報記録用のトラックを有する光ディスクに対して、記録データに応じたレーザ照射によって前記トラックにマーク部を形成し、分割型光センサによってそのマーク部と各マーク部間のスペース部とからの戻り光を検出し複数系統の信号を出力し、前記トラックの蛇行情報であるウォブル信号を再生する光ディスク装置用の回路であって、前記分割型光センサより出力された信号をマーク区間中にサンプリングして出力する第１のサンプリング手段と、前記分割型光センサより出力された信号をスペース区間中にサンプリングして出力する第２のサンプリング手段と、前記第１及び第２のサンプリング手段でサンプリングされて出力された各信号を交互に選択して出力する選択手段とを備えたことを特徴とする。
【００３６】  これによって、ウォブル信号を有するＤＶＤ−Ｒ／ＲＷなどにおいて、光ディスクのマーク部とスペース部とからの戻り光を検出して得た信号を、マーク区間とスペース区間とでサンプリングし、これらの信号を交互に選択して出力する。この交互に出力される信号を合成すれば、適正にマーク／スペース部の信号を合成することができる。
また、本発明による請求の範囲第１６項に記載の光ディスク装置用の回路は、ディスクの内周から外周に螺旋状に所定周期で蛇行して形成された情報記録用のトラックと、このトラック間に形成されたアドレス情報再生用のランドプリピットとを有する光ディスクに対して、記録データに応じたレーザ照射によって前記トラックにマーク部を形成し、分割型光センサによってそのマーク部と各マーク部間のスペース部とからの戻り光を検出し複数系統の信号を出力し、ランドプリピット信号を再生する光ディスク装置用の回路であって、前記分割型光センサより出力された信号をマーク区間中にサンプリングして出力する第１のサンプリング手段と、前記分割型光センサより出力された信号をスペース区間中にサンプリングして出力する第２のサンプリング手段と、前記第１及び第２のサンプリング手段でサンプリングされて出力された各信号を交互に選択して出力する選択手段とを備えたことを特徴とする。
【００３７】  これによって、ウォブル信号を有するＤＶＤ−Ｒ／ＲＷなどにおいて、光ディスクのマーク部とスペース部とからの戻り光を検出して得た信号を、マーク区間とスペース区間とでサンプリングし、これらの信号を交互に選択して出力する。この交互に出力される信号を合成すれば、適正にマーク／スペース部の信号を合成することができる。
また、本発明による請求の範囲第１７項に記載の光ディスク装置用の回路は、請求の範囲第１５項において、前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ウォブル信号を再生する再生手段を備えたことを特徴とする。
【００３８】  これによって、マーク／スペース部の信号が交互に選択され、この後に加算された各加算信号の振幅が揃えられ、この後に差分が取られてウォブル信号が再生されるので、適正にマーク／スペース部の信号を合成してウォブル信号を得ることが可能となる。
また、本発明による請求の範囲第１８項に記載の光ディスク装置用の回路は、請求の範囲第１６項において、前記第１のサンプリング手段、前記第２のサンプリング手段及び前記選択手段による一連の処理が施された前記複数系統の信号を、所定の組合せで加算し、これら加算信号の振幅を揃えたのち差分を取ることによって、前記ランドプリピット信号を再生する再生手段を備えたことを特徴とする。
【００３９】  これによって、マーク／スペース部の信号が交互に選択され、この後に加算された各加算信号の振幅が揃えられ、この後に差分が取られてウォブル信号が再生されるので、適正にマーク／スペース部の信号を合成してランドプリピット信号を得ることが可能となる。
また、本発明による請求の範囲第１９項に記載の光ディスク装置用の回路は、請求の範囲第１５項または第１６項において、前記第１のサンプリング手段でサンプリングされて出力された各信号の振幅を揃える第１の振幅調整手段を備えたことを特徴とする。
【００４０】  これによって、サンプリングされた各信号の振幅が揃えられたのち交互に選択されるので、基本的に同じ電位の信号が交互に選択されることになり、この選択のための切り替えタイミングを高精度に設定したり、切り替えのスピードを高速に設定したりする必要が無くなる。これによって、容易かつ適正にマーク／スペース部の信号を合成することが可能となる。
【００４１】  また、本発明による請求の範囲第２０項に記載の光ディスク装置用の回路は、請求の範囲第１５項または第１６項において、前記第２のサンプリング手段でサンプリングされて出力された各信号の振幅を揃える第２の振幅調整手段を備えたことを特徴とする。
これによって、サンプリングされた各信号の振幅が揃えられたのち交互に選択されるので、基本的に同じ電位の信号が交互に選択されることになり、この選択のための切り替えタイミングを高精度に設定したり、切り替えのスピードを高速に設定したりする必要が無くなる。これによって、容易かつ適正にマーク／スペース部の信号を合成することが可能となる。
【００４２】  また、本発明による請求の範囲第２１項に記載のウォブル信号再生方法は、ディスクの内周から外周に螺旋状に所定周期で蛇行して形成された情報記録用のトラックを有する光ディスクから、前記トラックの蛇行情報であるウォブル信号を再生するウォブル信号再生方法であって、記録データに応じたレーザ照射によって前記トラックにマーク部を形成する第１のステップと、前記第１のステップおいて形成されたマーク部と各マーク部間のスペース部とからの戻り光を分割型光センサにより検出し複数系統の信号を出力する第２のステップと、前記分割型光センサより出力された信号をマーク区間中にサンプリングして出力する第３のステップと、前記分割型光センサより出力された信号をスペース区間中にサンプリングして出力する第４のステップと、前記第１及び第２のステップでサンプリングされて出力された各信号を交互に選択して出力する第５のステップとを含むことを特徴とする。
【００４３】  これによって、ウォブル信号を有するＤＶＤ−Ｒ／ＲＷなどにおいて、光ディスクのマーク部とスペース部とからの戻り光を検出して得た信号を、マーク区間とスペース区間とでサンプリングし、これらの信号を交互に選択して出力するので、この出力信号からウォブル信号を適正に再生することができる。
また、本発明による請求の範囲第２２項に記載のウォブル信号再生方法は、請求の範囲第２１項において、前記第３、第４及び第５のステップにおける一連の処理が施された前記複数系統の信号を、所定の組合せで加算し、これら加算信号の振幅を揃えたのち差分を取ることによって、前記ウォブル信号を再生する第６のステップを更に含むことを特徴とする。
【００４４】  これによって、マーク／スペース部の信号が交互に選択され、この後に加算された各加算信号の振幅が揃えられ、この後に差分が取られてウォブル信号が再生されるので、適正にマーク／スペース部の信号を合成してウォブル信号を得ることが可能となる。
また、本発明による請求の範囲第２３項に記載のウォブル信号再生方法は、請求の範囲第２１項において、前記マーク区間中及びスペース区間中にサンプリングして出力された各信号の振幅を揃える第７のステップを更に含むことを特徴とする。
【００４５】  これによって、サンプリングされた各信号の振幅が揃えられたのち交互に選択されるので、基本的に同じ電位の信号が交互に選択されることになり、この選択のための切り替えタイミングを高精度に設定したり、切り替えのスピードを高速に設定したりする必要が無くなる。これによって、容易かつ適正にマーク／スペース部の信号を合成することが可能となる。
【００４６】  また、本発明による請求の範囲第２４項に記載のランドプリピット信号再生方法は、ディスクの内周から外周に螺旋状に所定周期で蛇行して形成された情報記録用のトラックと、このトラック間に形成されたアドレス情報再生用のランドプリピットとを有する光ディスクから、ランドプリピット信号を再生するランドプリピット信号再生方法であって、記録データに応じたレーザ照射によって前記トラックにマーク部を形成する第１のステップと、前記第１のステップおいて形成されたマーク部と各マーク部間のスペース部とからの戻り光を分割型光センサにより検出し複数系統の信号を出力する第２のステップと、前記分割型光センサより出力された信号をマーク区間中にサンプリングして出力する第３のステップと、前記分割型光センサより出力された信号をスペース区間中にサンプリングして出力する第４のステップと、前記第３及び第４のステップでサンプリングされて出力された各信号を交互に選択して出力する第５のステップとを含むことを特徴とする。
【００４７】  これによって、ウォブル信号を有するＤＶＤ−Ｒ／ＲＷなどにおいて、光ディスクのマーク部とスペース部とからの戻り光を検出して得た信号を、マーク区間とスペース区間とでサンプリングし、これらの信号を交互に選択して出力するので、この出力信号からランドプリピット信号を適正に再生することができる。
また、本発明による請求の範囲第２５項に記載のランドプリピット信号再生方法は、請求の範囲第２４項において、前記第３、前記第４及び前記第５のステップにおける一連の処理が施された前記複数系統の信号を、所定の組合せで加算し、これら加算信号の振幅を揃えたのち差分を取ることによって、前記ランドプリピット信号を再生する第６のステップを更に含むことを特徴とする。
【００４８】  これによって、マーク／スペース部の信号が交互に選択され、この後に加算された各加算信号の振幅が揃えられ、この後に差分が取られてウォブル信号が再生されるので、適正にマーク／スペース部の信号を合成してランドプリピット信号を得ることが可能となる。
また、本発明による請求の範囲第２６項に記載のランドプリピット信号再生方法は、請求の範囲第２４項において、前記マーク区間中及びスペース区間中にサンプリングして出力された各信号の振幅を揃える第７のステップを更に含むことを特徴とする。
【００４９】  これによって、サンプリングされた各信号の振幅が揃えられたのち交互に選択されるので、基本的に同じ電位の信号が交互に選択されることになり、この選択のための切り替えタイミングを高精度に設定したり、切り替えのスピードを高速に設定したりする必要が無くなる。これによって、容易かつ適正にマーク／スペース部の信号を合成することが可能となる。
【図面の簡単な説明】
【００５０】［図１］本発明の実施の形態に係る光ディスク装置を示すブロック図である。
［図２］上記実施の形態に係る光ディスク装置のマーク用Ｓ／Ｈ回路の構成例を示す図である。
［図３］上記実施の形態に係る光ディスク装置のマーク／スペース切替スイッチの構成例を示す図である。
［図４］上記実施の形態に係る光ディスク装置によるＬＰＰ信号の再生動作を説明するためのタイミングチャートである。
［図５］上記実施の形態に係る光ディスク装置によるウォブル信号の再生動作を説明するためのタイミングチャートである。
［図６］上記実施の形態に係る光ディスク装置のマーク用Ｓ／Ｈ回路を、ＬＰＦを用いて構成した例を示す図である。
［図７］上記実施の形態に係る光ディスク装置のマーク用Ｓ／Ｈ回路を、ＬＰＦを用いて構成した際の特徴を説明するためのタイミングチャートである。
［図８］光ディスクの構成を示す図である。
［図９］光ディスクにおけるグルーブ、ランド及びＬＰＰの拡大図である。
［図１０］フォトディテクタ（分割型光センサ）の概念図である。
［図１１］ウォブル系処理回路の構成を示すブロック図である。
［図１２］Ｓ／Ｈ付ウォブル系処理回路の構成を示すブロック図である。
［図１３］上記Ｓ／Ｈ付ウォブル系処理回路による戻り光のサンプリング／ホールド動作を説明するためのタイミングチャートである。
［図１４］ゲイン切替付ウォブル系処理回路の構成を示すブロック図である。
［図１５］上記ゲイン切替付ウォブル系処理回路による戻り光のサンプリング／ホールド動作を説明するためのタイミングチャートである。
【発明を実施するための最良の形態】
【００５１】  次に、図面を参照して本発明の実施の形態について説明する。
図１は、本発明の実施の形態に係る光ディスク装置を示すブロック図である。この図１に示す光ディスク装置６０は、光ディスク１０と、この光ディスク１０からＡ、Ｂ、Ｃ、Ｄ信号を検出して出力するフォトディテクタ２０と、このフォトディテクタ２０から出力されるＡ、Ｂ、Ｃ、Ｄ信号からウォブル信号及びＬＰＰ信号を再生するウォブル／ＬＰＰ再生回路６２と、光ディスク１０への記憶時に記録データに応じてレーザ強度を制御（ライトステラテジ制御）するＬＤドライバ６４とを備えて構成されている。但し、光ディスク１０は、図８及び図９に示したＤＶＤ−Ｒ／ＲＷであるとする。【００５２】  ウォブル／ＬＰＰ再生回路６２は、マーク用Ｓ／Ｈ回路６６、スペース用Ｓ／Ｈ回路６８、アンプ７０，７２及びマーク／スペース切替スイッチ７４を有して構成されたＡ信号用のマーク／スペース合成回路７６ａと、Ｂ信号用のマーク／スペース合成回路７６ｂと、Ｃ信号用のマーク／スペース合成回路７６ｃと、Ｄ信号用のマーク／スペース合成回路７６ｄと、タイミング信号発生器７８と、ウォブル系処理回路８０とを備えて構成されている。但し、ウォブル系処理回路８０は、図１１に示したウォブル系処理回路３０と同一のものであるとする。【００５３】  次に、これらの構成要素の説明を行う。
タイミング信号発生器７８は、各Ａ〜Ｄ信号用のマーク／スペース合成回路７６ａ〜７６ｄのマーク用Ｓ／Ｈ回路６６へ出力するマーク用Ｓ／Ｈ切替制御信号８４と、スペース用Ｓ／Ｈ回路６８へ出力するスペース用Ｓ／Ｈ切替制御信号８６と、マーク／スペース切替スイッチ７４へ出力するマーク／スペース合成制御信号８８とを、記録データに応じて発生するものである。【００５４】  各Ａ〜Ｄ信号用のマーク／スペース合成回路７６ａ〜７６ｄを、Ａ信号用のマーク／スペース合成回路７６ａを代表して説明する。
マーク用Ｓ／Ｈ回路６６は、図２に示すように、マーク用Ｓ／Ｈ切替制御信号８４に応じてＯＮ／ＯＦＦするスイッチ９０を信号経路に接続すると共に、そのスイッチ９０の後段の信号経路とアース間にコンデンサ９２を接続して構成されている。そして、スイッチ９０がＯＮの時に、フォトディテクタ２０で検出された光ディスク１０のマーク部１２ａの戻り光によるＡ信号をアンプ７０へ出力するサンプリングを行うと共に、ＯＦＦの時にコンデンサ９２に蓄積された同Ａ信号の電荷をアンプ７０へ出力することによって同Ａ信号をホールドするものである。【００５５】  スペース用Ｓ／Ｈ回路６８も、図２に示す構成と同構成であり、スペース用Ｓ／Ｈ切替制御信号８６に応じてＯＮ／ＯＦＦするスイッチ９０を信号経路に接続すると共に、そのスイッチ９０の後段の信号経路とアース間にコンデンサ９２を接続して構成されている。そして、スイッチ９０がＯＮの時に、フォトディテクタ２０で検出された光ディスク１０のスペース部１２ｂの戻り光によるＡ信号をアンプ７０へ出力し、ＯＦＦの時にコンデンサ９２に蓄積された同Ａ信号の電荷をアンプ７０へ出力することによって同Ａ信号をホールドするものである。【００５６】  また、マーク用Ｓ／Ｈ切替制御信号８４とスペース用Ｓ／Ｈ切替制御信号８６とは、図４（５）及び（６）に示すように、一方が「Ｈ」レベルの時に他方が「Ｌ」レベルとなる関係にある。この関係は、同図４のタイミングずれ有り区間ＳＥ２に示すように、（３）に示すマーク部１２ａの戻り光の「Ｈ」区間に、マーク用Ｓ／Ｈ切替制御信号８４の「Ｈ」区間が収まり、且つスペース用Ｓ／Ｈ切替制御信号８６の「Ｌ」区間が、戻り光の「Ｈ」区間よりも広い区間となるように成されている。【００５７】  これは、戻り光の「Ｈ」区間をサンプリングする際に、タイミングずれが生じても、その「Ｈ」の立ち上がり／立下り部分を避けてサンプリングできるようにすることによって、その立ち上がり／立下り部分をサンプリングすることによって生じる不要なノイズの影響を防止するためである。
アンプ７０，７２は、マーク用Ｓ／Ｈ回路６６及びスペース用Ｓ／Ｈ回路６８でＳ／Ｈ処理された各出力信号１０１，１０３の振幅を揃えるために、戻り光の光量差に応じてゲイン調整を行うものである。なお、アンプ７０，７２に代え、アッテネータを用い、光量差に応じた減衰を行うことによって、各出力信号１０１，１０３の振幅を揃えても良い。【００５８】  マーク／スペース切替スイッチ７４は、図３に示すように、マーク／スペース合成制御信号８８に応じてＯＮ／ＯＦＦするスイッチ９４，９６を、各アンプ７０，７２の出力信号経路に接続すると共に、そのスイッチ９４，９６の出力側を接続した信号経路とアース間に、コンデンサ９８を接続して構成されている。そして、アンプ７０，７２のゲイン制御によって振幅が一定に揃えられた信号を、マーク／スペース合成制御信号８８に応じて合成する制御を行うものである。この際、各スイッチ９４，９６は、基本的に同じ電位の信号を、切り替えにより交互に選択して合成するので、その選択のための切り替えタイミングを高精度に設定したり、切り替えのスピードを高速に設定したりする必要がなくなる。【００５９】  なお、マーク／スペース切替スイッチ７４として、図３に示した構成の切り替えスイッチ９４，９６に代え、Ｓ／Ｈ回路や加算器などを用いても良い。
次に、このような光ディスク装置６０によるウォブル信号及びＬＰＰ信号の再生動作を、図４に示すフローチャートを参照して説明する。
まず、記録時において、（１）に示す記録データが「Ｈ」の区間、即ちマーク部１２ａを形成するための指示を行う「Ｈ」の区間では、この「Ｈ」に応じたＬＤドライバ６４のライトステラテジ制御によって、光ディスク１０への照射レーザ強度が強くされる。つまり、（２）に示すように書込光がライトパワーとされる。ここでは、光ディスク１０はＤＶＤ−Ｒ／ＲＷを想定しているので、書込光の波形は、櫛型波形となる。【００６０】  この書込光によって、光ディスク１０にマーク部１２ａが形成される。この際、（３）に示すように、ＡとＤ信号を読み取るための戻り光の波形が、連山形状に立ち上がる「Ｈ」となると共に、（４）に示すように、ＢとＣ信号を読み取るための戻り光の波形が連山形状に立ち上がる「Ｈ」となる。
一方、（１）に示す記録データが「Ｌ」の区間、即ちスペース部１２ｂを形成するための指示を行う「Ｌ」の区間では、この「Ｌ」に応じたＬＤドライバ６４のライトステラテジ制御によって、光ディスク１０への照射レーザ強度が弱くされる（ＯＦＦでもよい）。つまり、（２）に示すように書込光がリードパワーとされる。この際、（３）及び（４）に示すように、戻り光の波形は「Ｌ」となる。但し、これらの戻り光の「Ｌ」区間には、Ｐ３，Ｐ４で示すように、ＬＰＰ信号成分が存在する。【００６１】  このような（３）及び（４）に示すような波形の戻り光が、フォトディテクタ２０で検出されることによって、Ａ、Ｂ、Ｃ、Ｄ信号が生成され、これらが各Ａ〜Ｄ信号用のマーク／スペース合成回路７６ａ〜７６ｄのマーク用Ｓ／Ｈ回路６６及びスペース用Ｓ／Ｈ回路６８へ供給される。
この際、「Ｈ」の戻り光を検出したＡ、Ｂ、Ｃ、Ｄ信号が、各Ｓ／Ｈ回路６６，６８に供給されるタイミングでは、タイミング信号発生器７８から記録データのマーク／スペース区間に応じて発生されたマーク用Ｓ／Ｈ切替制御信号８４及びスペース用Ｓ／Ｈ切替制御信号８６が、（５）及び（６）に示すように、「Ｈ」及び「Ｌ」となる。【００６２】  マーク用Ｓ／Ｈ切替制御信号８４が「Ｈ」、スペース用Ｓ／Ｈ切替制御信号８６が「Ｌ」となるタイミングでは、マーク用Ｓ／Ｈ切替制御信号８４の「Ｈ」によってマーク用Ｓ／Ｈ回路６６のスイッチ９０がＯＮとなるので、（３）に示す戻り光の櫛型波形に対応する形状のＡ信号とＤ信号が、（７）に示すようにサンプリングされ、マーク用Ｓ／Ｈ回路６６の出力信号１０１が、戻り光の櫛型波形の「Ｈ」に対応する形状の「Ｈ」となる。また、スペース用Ｓ／Ｈ切替制御信号８６の「Ｌ」によってスペース用Ｓ／Ｈ回路６８のスイッチ９０がＯＦＦとなるので、スペース用Ｓ／Ｈ回路６８の出力信号１０３が、（８）に示すようにホールドされて「Ｌ」となる。【００６３】  一方、その逆に、（５）及び（６）に示すように、マーク用Ｓ／Ｈ切替制御信号８４が「Ｌ」、スペース用Ｓ／Ｈ切替制御信号８６が「Ｈ」となるタイミングでは、マーク用Ｓ／Ｈ切替制御信号８４の「Ｌ」によってマーク用Ｓ／Ｈ回路６６のスイッチ９０がＯＦＦとなるので、マーク用Ｓ／Ｈ回路６６の出力信号１０１が、（７）に示すようにホールドされて「Ｌ」となる。また、スペース用Ｓ／Ｈ切替制御信号８６の「Ｈ」によってスペース用Ｓ／Ｈ回路６８のスイッチ９０がＯＮとなるので、（３）に示す戻り光のＬＰＰ信号成分Ｐ３を含む「Ｌ」のＡ信号とＤ信号がサンプリングされ、スペース用Ｓ／Ｈ回路６８の出力信号１０３が、（８）に示すように、ＬＰＰ信号成分Ｐ３を含む「Ｌ」となる。【００６４】  このＳ／Ｈ処理では、（７）及び（８）にＡ信号とＤ信号のＳ／Ｈ処理状態のみを示し、その説明を行ったが、Ｂ信号とＣ信号についても同様にＳ／Ｈ処理される。
このＳ／Ｈ処理後は、マーク／スペース双方の出力信号１０１，１０３の振幅が、アンプ７０，７２のゲイン制御によって一定に揃えられ、更に、マーク／スペース合成制御信号８８に応じて合成制御を行うマーク／スペース切替スイッチ７４によって合成される。これによって、（９）に示すように、Ａ信号用のマーク／スペース合成回路７６ａからは、櫛型波形の「Ｈ」及びＬＰＰ信号成分Ｐ３ａを含む「Ｌ」のマーク／スペース合成信号Ａ１が出力され、同様に、Ｄ信号用のマーク／スペース合成回路７６ｄからは、櫛型波形の「Ｈ」及びＬＰＰ信号成分Ｐ３ａを含む「Ｌ」のマーク／スペース合成信号Ｄ１が出力される。【００６５】  また、（１０）に示すように、Ｂ信号用のマーク／スペース合成回路７６ｂからは、櫛型波形の「Ｈ」及びＬＰＰ信号成分Ｐ４ａを含む「Ｌ」のマーク／スペース合成信号Ｂ１が出力され、同様に、Ｃ信号用のマーク／スペース合成回路７６ｃからは、櫛型波形の「Ｈ」及びＬＰＰ信号成分Ｐ４ａを含む「Ｌ」のマーク／スペース合成信号Ｃ１が出力される。【００６６】  ここで、マーク／スペース合成信号Ａ１は、マーク用Ｓ／Ｈ回路６６の出力信号１０１のうち（７）に実線で示されているサンプリングされた成分（櫛型波形の「Ｈ」）と、スペース用Ｓ／Ｈ回路６８の出力信号１０３のうち（８）に実線で示されているサンプリングされた成分（ＬＰＰ信号成分Ｐ３ａを含む「Ｌ」）のみにより合成されており、（７）及び（８）に点線で示されているホールドされた成分は含まれていない。これは、マーク／スペース切替スイッチ７４によって、マーク用Ｓ／Ｈ回路６６の出力信号１０１及びスペース用Ｓ／Ｈ回路６８の出力信号１０３のうち、サンプリングされた信号の成分のみが出力されるように切り換えているためである。このように、ホールドされた成分は含まず、サンプリングされた確かな信号の成分のみから合成されているため、品質の良いマーク／スペース合成信号Ａ１が得られる。他のマーク／スペース合成信号Ｂ１〜Ｄ１についても同様である。【００６７】  そして、これらのマーク／スペース合成信号Ａ１〜Ｄ１が、ウォブル系処理回路８０で処理されることによって、（１１）に示すように、ＬＰＰ信号１０５が再生される。
このＬＰＰ信号１０５の再生で参照した図４には、周波数のスケールが大きく異なるのでウォブル信号１０７は表していない。ウォブル信号１０７を強調して表すと図５に示すようなイメージとなる。【００６８】  つまり、図５（３）及び（４）に示すように、戻り光全体にウォブル信号成分であるｓｉｎ波が重畳されるので、図５（７）及び（８）に示すマーク／スペース双方の出力信号１０１，１０３及び、図５（９）及び（１０）に示すマーク／スペース合成信号Ａ１〜Ｄ１にも、ウォブル信号成分が重畳される。
そして、これらのマーク／スペース合成信号Ａ１〜Ｄ１が、ウォブル系処理回路８０で処理されることによって、図５（１１）に示すように、ｓｉｎ波のウォブル信号１０７が再生される。【００６９】  このように、本実施の形態の光ディスク装置６０によれば、光ディスク１０のマーク部１２ａからの戻り光をフォトディテクタ２０で検出することにより生成された例えばＡ信号を、マーク用Ｓ／Ｈ回路６６でサンプリングし、スペース部１２ｂからの戻り光をフォトディテクタ２０で検出することにより生成されたＡ信号を、スペース用Ｓ／Ｈ回路６８でサンプリングし、これらサンプリングされたＡ信号のマーク／スペースの各信号の振幅を、アンプ７０，７２で揃える。この振幅が揃えられたマーク／スペースの各信号を、マーク／スペース切替スイッチ７４によって交互に選択して合成する。この合成までの一連の処理が個々に施されたフォトディテクタ２０からのＡ、Ｂ、Ｃ、Ｄ信号を、ウォブル系処理回路８０において、所定の組み合わせで加算し、これら加算信号の振幅を揃えたのち差分を取ることによって、ウォブル信号１０７及びＬＰＰ信号１０５を再生するようにした。【００７０】  言及すれば、マーク部１２ａの信号をサンプリングすると共に、スペース部１２ｂの信号をサンプリングし、これらサンプリングされた各信号の振幅を揃えた後、交互に選択して合成するようにした。つまり、合成時に、基本的に同じ電位の信号を交互に選択して合成するので、その選択のための切り替えタイミングを高精度に設定したり、切り替えのスピードを高速に設定したりする必要が無くなる。これによって、容易かつ適正にマーク／スペース部の信号を合成することができる。【００７１】  また、マーク部１２ａの信号のサンプリング区間を、マーク部１２ａの信号区間よりも短く且つその信号区間に収まるように設定し、また、スペース部１２ｂの信号のサンプリング区間を、スペース部１２ｂの信号区間よりも短く且つその信号区間に収まるように設定したので、マーク部１２ａ及びスペース部１２ｂの信号を確実にサンプリングすることができる。【００７２】  また、このような各サンプリング区間の設定によって、マーク部１２ａ及びスペース部１２ｂの双方の信号のサンプリング区間が、互いに離れた位置に設定されることになるので、サンプリングの際にタイミングずれが生じても、マーク部１２ａの信号の立ち上がり／立下り部分を避けてサンプリングすることができる。これによって、その立ち上がり／立下り部分をサンプリングすることによって生じる不要なノイズの影響を防止することができる。【００７３】  従って、上記のことから、ウォブル信号１０７及びＬＰＰ信号１０５の双方を品質良く再生することができる。
この他、マーク用Ｓ／Ｈ回路６６及びスペース用Ｓ／Ｈ回路６８を、ＬＰＦ（Ｌｏｗ  Ｐａｓｓ  Ｆｉｌｔｅｒ）付のＳ／Ｈ回路としてもよい。例えば、図６に示すように、スイッチ９０の入力側に抵抗器１１０を付加して構成する。【００７４】  このＬＰＦ付のマーク／スペース用のＳ／Ｈ回路を用いれば、次のような効果が得られる。図７のタイミングチャートの（１）に示すように、戻り光にＰ５，Ｐ６で示す急峻な立ち上がり部分があった場合に、その戻り光を、図７（２）に示すマーク用Ｓ／Ｈ切替制御信号８４でサンプリングした場合、ＬＰＦが無いマーク用Ｓ／Ｈ回路６６では、図７（３）にＰ５ａ，Ｐ６ａ，Ｐ６ｂで示すように、急峻な立ち上がり部分Ｐ５，Ｐ６がノイズとして残る。【００７５】  しかし、ＬＰＦ付のマーク／スペース用のＳ／Ｈ回路を用いれば、図７（４）に示すように、ＬＰＦによって、その急峻な立ち上がり部分Ｐ５，Ｐ６を除去することができる。従って、ウォブル信号及びＬＰＰ信号の双方を、より品質良く再生することができる。
【産業上の利用の可能性】
【００７６】  光ディスクのマーク部からの戻り光を検出することにより生成された信号をサンプリングすると共に、スペース部からの戻り光を検出することにより生成された信号をサンプリングし、これらサンプリングされた各信号の振幅を揃えた後、交互に選択して合成するようにした。つまり、合成時に、基本的に同じ電位の信号を交互に選択して合成するので、その選択のための切り替えタイミングを高精度に設定したり、切り替えのスピードを高速に設定したりする必要が無くなる。これによって、容易かつ適正にマーク／スペース部の信号を合成することができる。
【図１】
2004100138.tif 000003
【図２】
2004100138.tif 000004
【図３】
2004100138.tif 000005
【図４】
2004100138.tif 000006
【図５】
2004100138.tif 000007
【図６】
2004100138.tif 000008
【図７】
2004100138.tif 000009
【図８】
2004100138.tif 000010
【図９】
2004100138.tif 000011
【図１０】
2004100138.tif 000012
【図１１】
2004100138.tif 000013
【図１２】
2004100138.tif 000014
【図１３】
2004100138.tif 000015
【図１４】
2004100138.tif 000016
【図１５】
2004100138.tif 000017
【国際調査報告】
2004100138.tif 000018
2004100138.tif 000019
2004100138.tif 000020
2004100138.tif 000021
2004100138.tif 000022
2004100138.tif 000023